【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  ユニットを取り外し可能に装着する、記録媒体に画像を形成するための電子写真画像形成装置において、
（ａ）ユニット本体と、
情報を記憶する記憶素子と、前記電子写真画像形成装置の電子写真画像形成装置本体に設けられた本体通信手段と非接触状態で前記記憶素子の情報の通信を行うメモリーアンテナと、を有するメモリー部材と、
を有するユニットと、
（ｂ）前記電子写真画像形成装置本体に設けられた、前記ユニットの有する前記メモリー部材と非接触状態で通信を行う本体通信手段であって、前記メモリー部材の有する前記メモリーアンテナと通信を行う本体アンテナを有する本体通信手段と、
（ｃ）前記本体アンテナの周囲に設けられた、電気的に接地された導電性部材と、
（ｄ）前記記録媒体を搬送するための搬送手段と、
を有することを特徴とする電子写真画像形成装置。
【請求項２】  請求項１において、前記本体アンテナは外装部材を有しており、前記外装部材の周囲に前記導電性部材が設けられていることを特徴とする電子写真画像形成装置。
【請求項３】  請求項１、または請求項２において、前記本体アンテナは前記導電性部材に保持されていることを特徴とする電子写真画像形成装置。
【請求項４】  請求項１、請求項２、または請求項３において、前記本体アンテナの周囲に設けられた前記導電性部材を接地するための導電線を用いて前記本体アンテナを前記メモリー部材に付勢する付勢部材とすることを特徴とする電子写真画像形成装置。
【請求項５】  プロセスカートリッジを取り外し可能に装着する、記録媒体に画像を形成するための電子写真画像形成装置において、
（ａ）電子写真感光体と、
前記電子写真感光体に作用するプロセス手段と、
情報を記憶する記憶素子と、前記電子写真画像形成装置の電子写真画像形成装置本体に設けられた本体通信手段と非接触状態で前記記憶素子の情報の通信を行うメモリーアンテナと、を有するメモリー部材と、
を有するプロセスカートリッジと、
（ｂ）前記電子写真画像形成装置本体に設けられた、前記プロセスカートリッジの有する前記メモリー部材と非接触状態で通信を行う本体通信手段であって、前記メモリー部材の有する前記メモリーアンテナと通信を行う本体アンテナを有する本体通信手段と、
（ｃ）前記本体アンテナの周囲に設けられた、電気的に接地された導電性部材と、
（ｄ）前記記録媒体を搬送するための搬送手段と、
を有することを特徴とする電子写真画像形成装置。
【請求項６】  請求項５において、前記本体アンテナは外装部材を有しており、前記外装部材の周囲に前記導電性部材が設けられていることを特徴とする電子写真画像形成装置。
【請求項７】  請求項５または請求項６おいて、前記本体アンテナは前記導電性部材を用いて保持されていることを特徴とする電子写真画像形成装置。
【請求項８】  請求項５、請求項６、または請求項７において、前記本体アンテナの周囲に設けられた前記導電性部材を接地するための導電線を用いて前記本体アンテナを前記メモリユニットに付勢する付勢部材とすることを特徴とする電子写真画像形成装置。
【手続補正２】
【補正対象書類名】明細書
【補正対象項目名】０００８
【補正方法】変更
【補正の内容】
【０００８】
【課題を解決するための手段】
上記目的を達成するための構成は、ユニットを取り外し可能に装着する、記録媒体に画像を形成するための電子写真画像形成装置において、
（ａ）ユニット本体と、
情報を記憶する記憶素子と、前記電子写真画像形成装置の電子写真画像形成装置本体に設けられた本体通信手段と非接触状態で前記記憶素子の情報の通信を行うメモリーアンテナと、を有するメモリー部材と、
を有するユニットと、
（ｂ）前記電子写真画像形成装置本体に設けられた、前記ユニットの有する前記メモリー部材と非接触状態で通信を行う本体通信手段であって、前記メモリー部材の有する前記メモリーアンテナと通信を行う本体アンテナを有する本体通信手段と、
（ｃ）前記本体アンテナの周囲に設けられた、電気的に接地された導電性部材と、
（ｄ）前記記録媒体を搬送するための搬送手段と、
を有することを特徴とする。
【手続補正３】
【補正対象書類名】明細書
【補正対象項目名】０００９
【補正方法】変更
【補正の内容】
【０００９】
また、上記目的を達成するための構成は、プロセスカートリッジを取り外し可能に装着する、記録媒体に画像を形成するための電子写真画像形成装置において、
（ａ）電子写真感光体と、
前記電子写真感光体に作用するプロセス手段と、
情報を記憶する記憶素子と、前記電子写真画像形成装置の電子写真画像形成装置本体に設けられた本体通信手段と非接触状態で前記記憶素子の情報の通信を行うメモリーアンテナと、を有するメモリー部材と、
を有するプロセスカートリッジと、
（ｂ）前記電子写真画像形成装置本体に設けられた、前記プロセスカートリッジの有する前記メモリー部材と非接触状態で通信を行う本体通信手段であって、前記メモリー部材の有する前記メモリーアンテナと通信を行う本体アンテナを有する本体通信手段と、
（ｃ）前記本体アンテナの周囲に設けられた、電気的に接地された導電性部材と、
（ｄ）前記記録媒体を搬送するための搬送手段と、
を有することを特徴とする。
【手続補正４】
【補正対象書類名】明細書
【補正対象項目名】００１１
【補正方法】変更
【補正の内容】
【００１１】
本発明の好適な実施の形態について説明する。以下の説明において、カートリッジＢの短手方向とは、プロセスカートリッジＢを電子写真画像形成装置Ａの電子写真画像形成装置本体１４へ着脱する方向であり、記録媒体の搬送方向と一致している。またカートリッジＢの長手方向とは、カートリッジＢを画像形成装置本体１４へ着脱する方向と交差する方向（略直交する方向）であり、記録媒体の表面と平行であり、且つ、記録媒体の搬送方向と交差（略直交）する方向である。又、カートリッジに関し左右とは記録媒体の搬送方向に従って記録媒体を上から見て右又は左である。また、カートリッジＢの上面とは、カートリッジＢを装置本体１４へ装着した状態で上方に位置する面であり、下面とは下方に位置する面である。
【手続補正５】
【補正対象書類名】明細書
【補正対象項目名】００１５
【補正方法】変更
【補正の内容】
【００１５】
この画像形成装置Ａは、図１に示すように、電子写真画像形成プロセスによって記録媒体（例えば、記録紙、ＯＨＰシート、布等）２に画像を形成するものである。そしてドラム形状の電子写真感光体（以下、感光体ドラムと称す）にトナー（現像剤）像を形成する。詳しくは、帯電手段によって感光体ドラムに帯電を行う。次いで、この感光体ドラムに光学手段から画像情報に応じたレーザ光を照射して、前記感光体ドラムに画像情報に応じた静電潜像を形成する。そしてこの静電潜像を現像手段によって現像してトナー像を形成する。そして前記トナー像の形成と同期して、給送ユニットとしての給紙カセット３ａにセットした記録媒体２をピックアップローラ３ｂ、搬送路３ｃ及びレジストローラ対（搬送手段）３ｅで反転搬送する。次いで、カートリッジＢの有する前記感光体ドラム７に形成したトナー像を転写手段としての転写ローラ４に電圧を印加することによって記録媒体２に転写する。その後、トナー像の転写を受けた記録媒体２を搬送ガイド（搬送手段）３ｆで定着ユニット５へと搬送する。この定着手段５は駆動ローラ（加圧ローラ）５ｃ及びヒータ５ａを内蔵する定着ローラ５ｂを有する。そして、通過する記録媒体２に熱及び圧力を印加して、転写されたトナー像を定着する。この記録媒体２を排出ローラ対（搬送手段）３ｉで搬送し、排出トレイ６へと排出する。ここで、給紙カセット３ａは、画像形成装置本体１４に対し取り外し可能である。給紙カセット３ａは、ユニットフレームとしてのカセットフレーム３ａ１を有し、前記カセットフレーム３ａ１内に記録媒体２を収納する。定着ユニット５は、ユニットフレームとしてのユニットフレーム５ｄを有する。そして、前記ユニットフレーム５ｄには、駆動ローラ５ｃ及び定着ローラ５ｂが回転自在に保持されている。なお、図１において４８は制御ユニットである。この制御ユニット４８は、電子写真画像形成装置Ａ全体をコントロールする。
【手続補正６】
【補正対象書類名】明細書
【補正対象項目名】００３７
【補正方法】変更
【補正の内容】
【００３７】
ガイド部１６ａ，１６ｃの幅は、カートリッジＢの着脱方向から見てガイド１３ａＲ，１３ａＬが遊嵌する幅を有する。ここで、ガイド１３ａＲの直径よりも夫々せまい幅をもつガイド１３ｂＲは当然ゆるく嵌まり込む。しかしながら、ガイド１３ａＲ，１３ａＬ、及び、ガイド１３ｂＲは、ガイド部１６ａ，１６ｃにより回動を制約される。これによって、カートリッジＢは一定範囲の姿勢を保って装置本体１４に装着される。そしてカートリッジＢが装置本体１４へ装着された状態において、カートリッジＢのガイド１３ａＲ，１３ａＬが夫々溝１６ｂ，１６ｄに嵌合する。そして、前記当接部１３ｊが装置本体１４の固設部材２５に当接する。
【手続補正７】
【補正対象書類名】明細書
【補正対象項目名】００４８
【補正方法】変更
【補正の内容】
【００４８】
ユニット４４は、基板ユニット４４ｂと、前記基板ユニット４４ｂを覆う外装部材としての枠部材４４ａとからなる札状形状である。基板ユニット４４ｂは、情報を記憶するための記憶素子４４ｂ１と、メモリーアンテナとしての磁気コアである通信用アンテナ４４ｂ２と、前記記憶素子４４ｂ１及び通信用アンテナ４４ｂ２を搭載する基体としての基板４４ｂ３とを一体的にユニット化したものである。記憶素子４４ｂ１はエポキシ樹脂からなる長方形の基板４４ｂ３上に設けられている。詳しくは、記憶素子４４ｂ１は、基板４４ｂ３の裏面（装置本体１４に設けられたアンテナユニット４１と対向する側とは反対側の面）４４ｂ３１に設けられ、アンテナ４４ｂ２を構成する導通パターン４４ｂ２１の外側に配置されている。記憶素子４４ｂ１にはＦＥＲＡＭを用いている。なお、記憶素子４４ｂ１は図１５に示す送信部材としての送信回路４４ｂ１１と一体に構成されている。この送信回路４４ｂ１１は、記憶素子４４ｂ１が記憶する情報をアンテナ４４ｂ２に送信するものである。この送信回路４４ｂ１１については後述する。アンテナ４４ｂ２は基板４４ｂ３上に基板４４ｂ３の長方形に沿った渦巻き形状の導通パターン４４ｂ２１を有する。このパターン４４ｂ２１はパターン焼き付けによって基板４４ｂ３の裏面４４ｂ３１上にわたって形成してある。そして、このパターン４４ｂ２１は、記憶素子４４ｂ１（例えば、ＦＥＲＡＭ）と接続されている。
【手続補正８】
【補正対象書類名】明細書
【補正対象項目名】００５６
【補正方法】変更
【補正の内容】
【００５６】
本実施例においては、ユニット４４ｂを覆う枠部材（外装部材）４４ａは、樹脂ケース４４ａ３と、この樹脂ケース４４ａ３に注入される樹脂又はエラストマー４４ａ４で構成されている。すなわち、本実施例のユニット４４は、樹脂ケース４４ａ３にユニット４４ｂを挿入し、この状態でケース４４ａ３内にエラストマー４４ａ４を注入、充填することにより構成される。
【手続補正９】
【補正対象書類名】明細書
【補正対象項目名】００８２
【補正方法】変更
【補正の内容】
【００８２】
工場等でメモリユニット４１をカートリッジＢのフレームに取り付ける際に、メモリユニット４１が表裏反対に取り付けられたり、あるいは、メモリユニット４４が取り付け方向を間違えて取り付けられたりすることを防止する必要がある。メモリユニット４１が表裏反対に取り付けられた場合には、アンテナ４１ｃとアンテナ４４ｂ２との距離が所定の距離からずれてしまい、通信の信頼性が損なわれる。また、メモリユニット４４が取り付け方向を間違えて取り付けられた場合には、アンテナ４１ｃとアンテナ４４ｂ２との対向位置がずれてしまい、やはり通信の信頼性が損なわれる。
【手続補正１０】
【補正対象書類名】明細書
【補正対象項目名】０１１５
【補正方法】変更
【補正の内容】
【０１１５】
ユニット４１は、図３４及び図３５に示すように、アンテナ４１ｃと、前記アンテナ４１ｃを覆う外装部材としてのアンテナカバー４１ａとを有する。前記支持部材４２には、アンテナカバー４１ａが支軸４１ｂを中心に回動可能に取り付けられている。そして前記支持部材４２は、装置本体１４に支軸４２ａを中心に回動可能に取り付けられている。また、前記支持部材４２は、装置本体１４に他端を係止させた導電性を有するバネ（導電性部材、付勢部材）４３により保持されている。そして、前記支持部材４２は、バネ４３の弾性力（引張り力）によって、支軸４２ａを中心にして、カートリッジＢの挿入路５５の方向（矢印Ｆ方向）に付勢されている。これにより、前記支持部材４２は、カートリッジＢが装置本体１４に装着されていない場合に、ユニット４１をカートリッジＢの挿入路内に侵入させている。これによって、ユニット４１は、カートリッジＢが存在しない状態では、カートリッジＢが装置本体１４に装着された際に、メモリユニット４４が位置する領域（カートリッジＢが装置本体１４に完全に挿入された際に、ユニット４４が位置する領域）に侵入している。
【手続補正１１】
【補正対象書類名】明細書
【補正対象項目名】０１３８
【補正方法】変更
【補正の内容】
【０１３８】
〔他の実施の形態〕
前述した実施の形態では、通信ユニットとメモリユニットからなる無線通信機構をカートリッジに適用した場合を例示したが、この無線通信機構は装置本体に取り外し可能であって、ユニット本体（ユニットフレーム）に記録媒体を収納する給送カセットにも好適に適用することができる。また、装置本体に対し取り外し可能であって、加圧ローラと定着ローラとをユニットフレームに保持してトナー画像を記録媒体に定着させる定着ユニットにも好適に適用できる。また、装置本体に着脱可能であって、現像剤容器と現像手段とをユニットフレームに有し、電子写真感光体に形成された静電潜像を現像剤により現像する現像ユニットにも好適に適用することができる。即ち、ユニットとして、給送カセット、定着ユニット、及び、現像ユニットが挙げられる。
【手続補正１２】
【補正対象書類名】図面
【補正対象項目名】図１
【補正方法】変更
【補正の内容】
【図１】
2002072782.tif 000001
【手続補正１３】
【補正対象書類名】図面
【補正対象項目名】図４
【補正方法】変更
【補正の内容】
【図４】
2002072782.tif 000002
【手続補正１４】
【補正対象書類名】図面
【補正対象項目名】図７
【補正方法】変更
【補正の内容】
【図７】
2002072782.tif 000003
【手続補正１５】
【補正対象書類名】図面
【補正対象項目名】図１１
【補正方法】変更
【補正の内容】
【図１１】
2002072782.tif 000004
【手続補正１６】
【補正対象書類名】図面
【補正対象項目名】図３４
【補正方法】変更
【補正の内容】
【図３４】
2002072782.tif 000005